(57)【要約】【課題】整流器同士の短絡を抑制する。【解決手段】整流器接続装置３０は、既設第１端子１２に接続される既設側第１接続部３１と、既設第２端子１３に接続される既設側第２接続部３３と、切替第１端子２２に接続される切替側第１接続部３５と、切替第２端子２３に接続される切替側第２接続部３７と、既設側第１接続部３１と切替側第１接続部３５とを接続状態にする第１開閉部４１と、既設側第２接続部３３と切替側第２接続部３７とを接続状態にする第２開閉部４３と、第１開閉部４１及び第２開閉部４３を接続状態にするスイッチ部４４と、スイッチ部４４を固定してスイッチ部４４が接続状態にすることを抑制するロック部５１と、既設側第２接続部３３と切替側第１接続部３５とに互いに異相の直流電流が流れる場合に、ロック部５１によるスイッチ部４４の固定を解除して接続状態にすることを可能とするロック解除部６１と、を有する。【選択図】図１
2017135851.tif 000002
【特許請求の範囲】
【請求項１】
交流電流を直流電流に変換する既設整流器の、直流電流側の一方の端子である既設第１端子に接続される既設側第１接続部と、
前記既設整流器の直流電流側の他方の端子である既設第２端子に接続される既設側第２接続部と、
交流電流を直流電流に変換する切替整流器の、直流電流側の一方の端子である切替第１端子に接続される切替側第１接続部と、
前記切替整流器の直流電流側の他方の端子である切替第２端子に接続される切替側第２接続部と、
前記既設側第１接続部と前記切替側第１接続部とを電気的に接続状態にすることが可能な第１開閉部と、
前記既設側第２接続部と前記切替側第２接続部とを電気的に接続状態にすることが可能な第２開閉部と、
前記第１開閉部及び前記第２開閉部を前記接続状態にすることが可能なスイッチ部と、
前記スイッチ部を固定することにより、前記スイッチ部が前記第１開閉部及び前記第２開閉部を前記接続状態にすることを抑制するロック部と、
前記既設側第２接続部と前記切替側第１接続部とに電気的に接続され、前記既設側第２接続部と前記切替側第１接続部とに互いに異相の直流電流が流れる場合に自身に前記直流電流が流れることにより、前記ロック部による前記スイッチ部の固定を解除して、前記スイッチ部によって前記第１開閉部及び前記第２開閉部を前記接続状態にすることを可能とするロック解除部と、
を有する、整流器の接続装置。
【請求項２】
前記ロック解除部は、コイルであり、自身に前記直流電流が流れることにより、常磁性部材である前記ロック部を動かして、前記ロック部による前記スイッチ部の固定を解除する、請求項１に記載の整流器の接続装置。
【請求項３】
前記ロック解除部は、ロック解除導通スイッチ部が操作されることにより、前記既設側第２接続部と前記切替側第１接続部とに電気的に接続される、請求項１又は請求項２に記載の整流器の接続装置。
【請求項４】
前記既設側第２接続部と前記切替側第１接続部とに、又は、前記既設側第１接続部と前記切替側第２接続部とに電気的に接続され、前記既設側第２接続部と前記切替側第１接続部とに、又は、前記既設側第１接続部と前記切替側第２接続部とに互いに異相の直流電流が流れる場合に、前記ロック解除部と前記既設側第２接続部と前記切替側第１接続部との電気的な接続を維持する自己保持回路部を有する、請求項３に記載の整流器の接続装置。
【請求項５】
前記既設側第２接続部と前記切替側第１接続部とに、又は、前記既設側第１接続部と前記切替側第２接続部とに電気的に接続され、前記既設側第２接続部と前記切替側第１接続部とに、又は、前記既設側第１接続部と前記切替側第２接続部とに互いに異相の直流電流が流れる場合に点灯する光源部を有する、請求項１から請求項４のいずれか一項に記載の整流器の接続装置。
【発明の詳細な説明】
【技術分野】
【０００１】
本発明は、整流器の接続装置に関する。
【背景技術】
【０００２】
変電所又は発電所等の電気所で用いられる開閉器等の機器の制御は、直流電流により行われている。この直流電流は、発電所で発電された交流電流の回路に整流器を接続して、整流器により直流変換することにより生成される。このような整流器は、整備の際などに機器からの接続を解除する必要がある。この場合、機器の制御の中断を抑制するために、機器を別の整流器（切替整流器）に接続してから、この整流器（既設整流器）を取り外す。既設整流器の取外しの前に切替整流器を接続しておくことで切替整流器により直流電流が生成されるため、既設整流器を取り換える際にも、機器の制御が中断されることがない。
【０００３】
従来、整流器を取り換える際には、具体的には次のような工程を実行していた。最初に、切替整流器を交流回路に接続する。次に、既設整流器の予備回路に切替整流器を接続する。この際、既設整流器の予備回路は開路（非接続状態）とされ、既設整流器と切替整流器とは接続されていない。次に、既設整流器と切替整流器との直流電圧を確認する。直流電圧の確認結果により、既設整流器と切替整流器とが開路状態の予備回路を介して同相で接続されていると確認されたら、予備回路を閉路（接続状態）として、既設整流器と切替整流器とを接続する。これにより、予備回路を介して、機器と切替整流器とが接続される。そして、既設整流器と切替整流器とを開路にして、予備回路と切替整流器とを接続したままの状態で、既設整流器を機器から取り外す。この場合、既設整流器と切替整流器との直流電圧の確認は例えば電圧計によって行い、電圧計の表示結果に基づいて、既設整流器の予備回路を閉路とする。また、特許文献１には、工事バンクの配電線の交流電流と健全バンクの配電線の交流電流とを検相し、無停電状態で工事バンクの配電線を健全バンクの配電線に取り換える旨の技術が記載されている。
【先行技術文献】
【特許文献】
【０００４】
【特許文献１】特開平７−２１２９７４号公報
【発明の概要】
【発明が解決しようとする課題】
【０００５】
従来の整流器の取り換えにおいては、電圧計の故障など、既設整流器と切替整流器との直流電圧の確認に不備があれば、異相で接続されている既設整流器と切替整流器とを閉路にする可能性がある。既設整流器と切替整流器とを異相で接続した場合、既設整流器と切替整流器とが短絡する。また、特許文献１においても、交流電流の検相結果に不備があれば、無停電状態で工事バンクの配電線を健全バンクの配電線に取り換えることができなくなる可能性がある。
【０００６】
本発明は、上記課題を解決するために、整流器の取り換えに際し、整流器同士の短絡を抑制する整流器の接続装置を提供することを目的とする。
【課題を解決するための手段】
【０００７】
上述した課題を解決し、目的を達成するために、本開示の整流器の接続装置は、交流電流を直流電流に変換する既設整流器の、直流電流側の一方の端子である既設第１端子に接続される既設側第１接続部と、前記既設整流器の直流電流側の他方の端子である既設第２端子に接続される既設側第２接続部と、交流電流を直流電流に変換する切替整流器の、直流電流側の一方の端子である切替第１端子に接続される切替側第１接続部と、前記切替整流器の直流電流側の他方の端子である切替第２端子に接続される切替側第２接続部と、前記既設側第１接続部と前記切替側第１接続部とを電気的に接続状態にすることが可能な第１開閉部と、前記既設側第２接続部と前記切替側第２接続部とを電気的に接続状態にすることが可能な第２開閉部と、前記第１開閉部及び前記第２開閉部を前記接続状態にすることが可能なスイッチ部と、前記スイッチ部を固定することにより、前記スイッチ部が前記第１開閉部及び前記第２開閉部を前記接続状態にすることを抑制するロック部と、前記既設側第２接続部と前記切替側第１接続部とに電気的に接続され、前記既設側第２接続部と前記切替側第１接続部とに互いに異相の直流電流が流れる場合に自身に前記直流電流が流れることにより、前記ロック部による前記スイッチ部の固定を解除して、前記スイッチ部によって前記第１開閉部及び前記第２開閉部を前記接続状態にすることを可能とするロック解除部と、を有する。
【０００８】
前記整流器の接続装置において、前記ロック解除部は、コイルであり、自身に前記直流電流が流れることにより、常磁性部材である前記ロック部を動かして、前記ロック部による前記スイッチ部の固定を解除することが好ましい。
【０００９】
前記整流器の接続装置において、前記ロック解除部は、ロック解除導通スイッチ部が操作されることにより、前記既設側第２接続部と前記切替側第１接続部とに電気的に接続されることが好ましい。
【００１０】
前記整流器の接続装置は、前記既設側第２接続部と前記切替側第１接続部とに、又は、前記既設側第１接続部と前記切替側第２接続部とに電気的に接続され、前記既設側第２接続部と前記切替側第１接続部とに、又は、前記既設側第１接続部と前記切替側第２接続部とに互いに異相の直流電流が流れる場合に、前記ロック解除部と前記既設側第２接続部と前記切替側第１接続部との電気的な接続を維持する自己保持回路部を有することが好ましい。
【００１１】
前記整流器の接続装置は、前記既設側第２接続部と前記切替側第１接続部とに、又は、前記既設側第１接続部と前記切替側第２接続部とに電気的に接続され、前記既設側第２接続部と前記切替側第１接続部とに、又は、前記既設側第１接続部と前記切替側第２接続部とに互いに異相の直流電流が流れる場合に点灯する光源部を有することが好ましい。
【発明の効果】
【００１２】
本発明によれば、整流器の取り換えに際し、整流器同士の短絡を抑制することが可能となる。
【図面の簡単な説明】
【００１３】
【図１】図１は、本実施形態に係る切替整流器ユニットの回路構成を示した模式図である。
【図２】図２は、スイッチ部、ロック部及びロック解除部の構成の一例を示した模式図である。
【図３】図３は、既設整流器と直流回路との接続を、切替整流器と直流回路との接続に切り替える工程を示すフローチャートである。
【発明を実施するための形態】
【００１４】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１５】
図１は、本実施形態に係る切替整流器ユニットの回路構成を示した模式図である。図１に示すように、本実施形態に係る切替整流器ユニット２０は、後述する直流回路１を介して既設整流器１０に接続されるものであり、切替整流器２１と整流器接続装置３０とを有する。既設整流器１０は、変電所又は発電所等の電気所等の設備に設けられているが、設置される設備はこれに限られない。既設整流器１０は、電気所に設けられた後述する交流回路２及び直流回路１に接続されて、交流回路２からの交流電流を直流電流に変換し、直流回路１にその直流電流を供給する整流器である。切替整流器ユニット２０は、既設整流器１０と同じ設備（電気所等）に設けられる。切替整流器ユニット２０は、既設整流器１０を点検等で取り外す際などに、既設整流器１０の代わりに直流回路１に接続されて、切替整流器２１によって交流電流を直流電流に変換し、既設整流器１０の代わりに直流回路１に直流電流を供給する。
【００１６】
最初に、既設整流器１０について具体的に説明する。図１に示すように、既設整流器１０は、交流回路２及び直流回路１に接続されている。交流回路２は、発電所で発電された交流電流が流れる回路である。直流回路１は、既設整流器１０と同じ設備（電気所等）に設けられており、既設整流器１０によって変換された直流電流が流れる回路である。既設整流器１０は、直流電流側の一方の端子としての既設第１端子１２、直流電流側の他方の端子である既設第２端子１３を有する。既設整流器１０は、交流回路２からの交流電流を直流電流に変換し、既設第１端子１２を介して、直流回路１に直流電流を印加する。本実施形態において、既設第１端子１２は、直流電流側における正電圧側の端子であり、既設第２端子１３は、直流電流側における負電圧側の端子であるが、正電圧側と負電圧側が逆になっていてもよい。既設第１端子１２は、開閉部１５を介して直流回路１の正電圧導線１０１と接続されており、既設第２端子１３は、開閉部１５を介して直流回路１の負電圧導線１０２と接続されている。開閉部１５は、スイッチを切り替えることにより、既設整流器１０と直流回路１とを開路（非接続状態）又は閉路（接続状態）にする。既設整流器１０は、ダイオードにより交流を直流に変換するものであるが、交流を直流に変換するものであれば、これに限られない。
【００１７】
直流回路１は、電源３、機器４、予備回路５、正電圧導線１０１及び負電圧導線１０２を有する。直流回路１は、正電圧導線１０１に印加された既設整流器１０からの直流電流により、機器４を制御する回路である。
【００１８】
正電圧導線１０１は、上述のように既設第１端子１２と電気的に接続されている。正電圧導線１０１には、既設整流器１０からの直流電流が印可される。正電圧導線１０１は、既設第１端子１２と同電位の正電圧が印加される。負電圧導線１０２は、上述のように既設第２端子１３と電気的に接続されている。負電圧導線１０２は、既設第２端子１３と同電位の負電圧が印加される。電源３は、正電圧導線１０１及び負電圧導線１０２に接続されており、直流回路１に電圧を印加する予備の電源である。
【００１９】
機器４は、正電圧導線１０１及び負電圧導線１０２に接続されている。機器４は、正電圧導線１０１に印加された直流電流により制御される。本実施形態において、機器４は、電気所で用いられる開閉器である。ただし、機器４は、電気所等で用いられ、直流電流で制御される機器であればこれに限られず、また、機器４は複数であってもよい。
【００２０】
予備回路５は、正電圧導線１０１及び負電圧導線１０２に接続されている。予備回路５は、正電圧導線１０３、負電圧導線１０４を有する。正電圧導線１０３は、正電圧導線１０１と接続され、負電圧導線１０４は、負電圧導線１０２と接続される。すなわち、予備回路５は、正電圧導線１０１及び負電圧導線１０２を介して、機器４に電気的に接続されている。また、予備回路５は、正電圧導線１０３が既設第１端子１２に電気的に接続され、負電圧導線１０４が既設第２端子１３に電気的に接続されることにより、既設整流器１０に電気的に接続されている。また、予備回路５は、開閉部６を有している。開閉部６は、スイッチを切り替えることにより、正電圧導線１０１と正電圧導線１０３と、負電圧導線１０２と負電圧導線１０４とを開路（非接続状態）又は閉路（接続状態）にする。
【００２１】
次に、切替整流器ユニット２０の切替整流器２１について説明する。切替整流器２１は、整流器接続装置３０を介して予備回路５に接続されることにより、既設整流器１０の代わりに機器４に直流電流を供給する。図１に示すように、切替整流器２１は、既設整流器１０と同じ交流回路２に接続されている。切替整流器２１は、直流電流側の一方の端子としての切替第１端子２２、直流電流側の他方の端子としての切替第２端子２３を有する。切替第１端子２２は、直流電流側における正電圧側の端子であり、切替第２端子２３は、直流電流側における負電圧側の端子であるが、正電圧側と負電圧側が逆になっていてもよい。切替整流器２１は、ダイオードにより交流を直流に変換するものであるが、交流を直流に変換するものであれば、これに限られない。
【００２２】
次に、切替整流器ユニット２０の整流器接続装置３０について説明する。整流器接続装置３０は、切替整流器２１と既設整流器１０とを、より具体的には、切替整流器２１と予備回路５とを接続する。図１に示すように、整流器接続装置３０は、既設側第１接続部３１と、既設側第２接続部３３と、切替側第１接続部３５と、切替側第２接続部３７と、第１開閉部４１と、第２開閉部４３と、スイッチ部４４と、ロック部５１と、ロック解除部６１と、ロック解除開閉部７１と、正電圧導線１０５、１０６と、負電圧導線１０７、１０８とを有する。
【００２３】
既設側第１接続部３１は、正電圧導線１０５を、既設整流器１０、より具体的には予備回路５と接続するための端子である。本実施形態において、既設側第１接続部３１は、予備回路５の正電圧導線１０３に接続されることにより、正電圧導線１０５を正電圧導線１０３に接続する。既設側第１接続部３１は、正電圧導線１０５を正電圧導線１０３に接続することにより、正電圧導線１０５を既設整流器１０の既設第１端子１２と同電位の正電圧下にする。
【００２４】
既設側第２接続部３３は、負電圧導線１０７を、既設整流器１０、より具体的には予備回路５と接続するための端子である。本実施形態において、既設側第２接続部３３は、予備回路５の負電圧導線１０４に接続されることにより、負電圧導線１０７を負電圧導線１０４に接続する。既設側第２接続部３３は、負電圧導線１０７を負電圧導線１０４に接続することにより、負電圧導線１０７を既設整流器１０の既設第２端子１３と同電位の負電圧下にする。
【００２５】
切替側第１接続部３５は、正電圧導線１０６を切替整流器２１と接続するための端子である。本実施形態において、切替側第１接続部３５は、切替第１端子２２に接続されることにより、正電圧導線１０６を切替第１端子２２に接続する。切替側第１接続部３５は、正電圧導線１０６を切替第１端子２２に接続することにより、正電圧導線１０６を切替第１端子２２と同電位の正電圧下にする。
【００２６】
切替側第２接続部３７は、負電圧導線１０８を切替整流器２１と接続するための端子である。本実施形態において、切替側第２接続部３７は、切替第２端子２３に接続されることにより、負電圧導線１０８を切替第２端子２３に接続する。切替側第２接続部３７は、負電圧導線１０８を切替第２端子２３に接続することにより、負電圧導線１０８を切替第２端子２３と同電位の負電圧下にする。
【００２７】
第１開閉部４１は、正電圧導線１０５と正電圧導線１０６との間に設けられている。第１開閉部４１は、正電圧導線１０５と正電圧導線１０６とを電気的に接続状態にすることができる。言い換えれば、第１開閉部４１は、既設側第１接続部３１と切替側第１接続部３５とを電気的に接続状態にすることが可能となっている。具体的には、第１開閉部４１は、スイッチ部４４により接点が開閉される。第１開閉部４１は、接点が開かれた状態では、正電圧導線１０５と正電圧導線１０６とを、すなわち既設側第１接続部３１と切替側第１接続部３５とを非接続状態とする。また、第１開閉部４１は、接点が閉じられた状態では、正電圧導線１０５と正電圧導線１０６とを、すなわち既設側第１接続部３１と切替側第１接続部３５とを接続状態とする。スイッチ部４４の構成については、ロック部５１及びロック解除部６１の構成と共に後述する。
【００２８】
第２開閉部４３は、負電圧導線１０７と負電圧導線１０８との間に設けられている。第２開閉部４３は、負電圧導線１０７と負電圧導線１０８とを電気的に接続状態にすることができる。言い換えれば、第２開閉部４３は、既設側第２接続部３３と切替側第２接続部３７とを電気的に接続状態にすることが可能となっている。具体的には、第２開閉部４３は、スイッチ部４４により接点が開閉される。第２開閉部４３は、接点が開かれた状態では、負電圧導線１０７と負電圧導線１０８とを、すなわち既設側第２接続部３３と切替側第２接続部３７とを非接続状態とする。また、第２開閉部４３は、接点が閉じられた状態では、負電圧導線１０７と負電圧導線１０８とを、すなわち既設側第２接続部３３と切替側第２接続部３７とを接続状態とする。
【００２９】
次に、図２を参照にしてスイッチ部４４、ロック部５１及びロック解除部６１の構成について説明する。図２は、スイッチ部、ロック部及びロック解除部の構成の一例を示した模式図である。図２に示すように、スイッチ部４４は、箱部４５と、スイッチ４６と、保持部４７とを有する。箱部４５は、箱状の部材であり、内部に第１開閉部４１及び第２開閉部４３を有する。スイッチ４６は、箱部４５に設けられているスイッチである。スイッチ４６は、方向Ｙ１及びＹ２に沿って動かされることにより、位置を切り替え可能である。スイッチ４６は、例えば手動で位置を切り替えられることにより、第１開閉部４１及び第２開閉部４３の接点を開閉する。本実施形態において、スイッチ４６は、方向Ｙ１側に位置する場合は、第１開閉部４１の接点を開いて既設側第１接続部３１と切替側第１接続部３５とを非接続状態とし、第２開閉部４３の接点を開いて既設側第２接続部３３と切替側第２接続部３７とを非接続状態とする。また、スイッチ４６は、方向Ｙ２側に位置する場合は、第１開閉部４１の接点を閉じて既設側第１接続部３１と切替側第１接続部３５とを接続状態とし、第２開閉部４３の接点を閉じて既設側第２接続部３３と切替側第２接続部３７とを接続状態とする。
【００３０】
保持部４７は、箱部４５から延在して、方向Ｙ１に沿って設けられる２つの突起の端部を互いに接続したコの字状の部材である。本実施形態において、保持部４７は、方向Ｙ１と直交する方向である方向Ｘ１に沿って３つ設けられている。
【００３１】
図２に示すように、ロック部５１は、スイッチ固定部５２と、移動部５３と、接続部５５とを有する。スイッチ固定部５２は、例えば棒状の部材である。スイッチ固定部５２は、スイッチ部４４の保持部４７に保持される。詳しくは、スイッチ固定部５２は、保持部４７と箱部４５の表面とに囲まれる空間に配置され、保持部４７に方向Ｘ１とその反対方向である方向Ｘ２に沿って移動可能に保持されている。スイッチ固定部５２は、保持部４７に保持されることにより、スイッチ４６を方向Ｙ１に位置させたままで固定し、スイッチ４６を方向Ｙ２側に切り替えることを抑制する。本実施形態において、スイッチ固定部５２は、最初の状態（整流器接続装置３０が既設整流器１０に接続される前の状態）において、保持部４７に保持されている位置、より詳しくは、方向Ｘ１側の端部がスイッチ４６よりも方向Ｘ１側に位置するように配置されている。これにより、スイッチ固定部５２は、最初の状態において、スイッチ４６を方向Ｙ１に位置させたままで固定し、スイッチ４６を方向Ｙ２側に切り替えることを抑制している。
【００３２】
移動部５３は、常磁性を有する部材である。移動部５３は、例えば鉄片である。接続部５５は、一方の端部にスイッチ固定部５２が取り付けられており、他方の端部に移動部５３が取り付けられている棒状の部材である。接続部５５は、一方の端部と他方の端部との間に支点部５６を有する。接続部５５は、移動部５３が移動することにより、支点部５６を中心にして移動する。すなわち、接続部５５は、他方の端部が移動部５３と共に移動し、一方の端部が移動部５３と反対方向に移動する。この場合、スイッチ固定部５２は、接続部５５の一方の端部と共に、移動部５３と反対方向に移動する。
【００３３】
図１に示すように、ロック解除部６１は、導線１１２に設けられている。導線１１２は、一方の端部が正電圧導線１０６に接続され、他方の端部が負電圧導線１０７に接続されている。すなわち、ロック解除部６１は、導線１１２を介して、切替側第１接続部３５と既設側第２接続部３３とに電気的に接続されている。また、導線１１２には、ロック解除開閉部７１が設けられている。ロック解除開閉部７１は、導線１１２を介して、切替側第１接続部３５と既設側第２接続部３３とを電気的に接続状態とすることができる。具体的には、ロック解除開閉部７１は、ロック解除導通スイッチ部７２により、接点が開閉される。ロック解除導通スイッチ部７２は、本実施形態においては、作業者によって操作される押しボタンである。ロック解除開閉部７１は、ロック解除導通スイッチ部７２が押されず接点が開かれた状態では、切替側第１接続部３５と既設側第２接続部３３とを非接続状態にする。ロック解除開閉部７１は、ロック解除導通スイッチ部７２が押されて接点が閉じられた状態では、切替側第１接続部３５と既設側第２接続部３３とを接続状態にする。なお、ロック解除部６１は、導線１１２を介して、切替側第２接続部３７と既設側第１接続部３１とに電気的に接続されていてもよい。
【００３４】
ロック解除部６１は、最初の状態（整流器接続装置３０が既設整流器１０に接続される前の状態）においては、切替側第１接続部３５と既設側第２接続部３３とが接続されていないため、ロック解除開閉部７１の接点が閉じられた状態であっても、導線１１２を介した直流電流が流れていない。ロック解除部６１は、切替側第１接続部３５と既設側第２接続部３３とが接続されると、ロック解除開閉部７１の接点が閉じられた状態において、導線１１２を介した直流電流が流れて、電磁力を発生させる。
【００３５】
ロック解除部６１は、導線１１２に直流電流が印可されることにより、電磁力を発生させる。具体的には、ロック解除部６１は、コイルであるが、直流電流の印加により電磁力を発生させるものであれば、コイルに限られない。図２に示すように、ロック解除部６１は、ロック部５１の移動部５３に隣接して設けられている。ロック解除部６１は、導線１１２に直流電流が印可されることにより、自身に直流電流が流れることによって電磁力を発生させ、その電磁力により移動部５３を引き寄せる。導線１１２に直流電流が印可されることにより、移動部５３を方向Ｘ１に移動させる。この場合、スイッチ固定部５２は、最初の状態（整流器接続装置３０が既設整流器１０に接続される前の状態）における位置から、方向Ｘ２に移動する。具体的には、スイッチ固定部５２は、方向Ｘ１側の端部がスイッチ４６よりも方向Ｘ２側に位置するように、方向Ｘ２方向に移動する。ロック解除部６１は、スイッチ固定部５２をこのように移動させることにより、スイッチ４６の固定を解除し、スイッチ４６を方向Ｙ２に切り替えることを可能とする。また、ロック解除部６１は、導線１１２への直流電流の印加が解除された場合、電磁力が発生しなくなるため、移動部５３を引き寄せることを停止する。ロック部５１は、ロック解除部６１による電磁力の発生が停止した場合に、移動部５３が方向Ｘ２に移動するようにしてもよい。この場合、スイッチ固定部５２は、方向Ｘ１に移動する。スイッチ固定部５２は、方向Ｘ１に移動することにより、スイッチ４６を再度固定し、スイッチ４６を切り替えることを抑制する。
【００３６】
なお、スイッチ部４４、ロック部５１及びロック解除部６１の構成は、以上説明した構成に限られない。スイッチ部４４は、第１開閉部４１及び第２開閉部４３を接続状態（接点を閉じた状態）にすることが可能なものであれば、その構成は任意である。ロック部５１は、最初の状態（整流器接続装置３０が既設整流器１０に接続される前の状態）において、スイッチ部４４を固定して、第１開閉部４１と第２開閉部４３とが接続状態となることを抑制しているものであれば、その構成は任意である。そして、ロック解除部６１は、切替側第１接続部３５と既設側第２接続部３３とが接続されると、ロック部５１によるスイッチ部４４の固定を解除して、第１開閉部４１と第２開閉部４３とが接続状態になることを可能とするものであれば、その構成は任意である。
【００３７】
次に、図１に戻り、整流器接続装置３０の他の構成について説明する。図１に示すように、整流器接続装置３０は、さらに、予備開閉部７３と、光源部８１と、自己保持回路部９１と、第１電圧測定部９３と、第２電圧測定部９５と、を有する。
【００３８】
予備開閉部７３は、負電圧導線１０８から分岐される導線１２０と、正電圧導線１０５から分岐される導線１２４との間に設けられている。また、導線１２０と導線１２４との間には、導線１２２と導線１２８とが設けられている。導線１２２は、導線１２０と導線１２４とを接続する導線である。導線１２８は、導線１２２に電気的に並列に設けられ、導線１２０と導線１２４とを接続する。予備開閉部７３は、導線１２０と導線１２４とを電気的に接続状態とすることができる。言い換えれば、予備開閉部７３は、導線１２０と導線１２４とを介して、切替側第２接続部３７と既設側第１接続部３１とを電気的に接続状態とすることができる。具体的には、予備開閉部７３は、ロック解除導通スイッチ部７２により、接点が開閉される。予備開閉部７３は、ロック解除導通スイッチ部７２が押されず接点が開かれた状態では、切替側第２接続部３７と既設側第１接続部３１とを非接続状態にする。予備開閉部７３は、ロック解除導通スイッチ部７２が押されて接点が閉じられた状態では、切替側第２接続部３７と既設側第１接続部３１とを接続状態にする。予備開閉部７３は、切替側第２接続部３７と既設側第１接続部３１とを接続状態にして、導線１２０、１２２、１２４、１２８に既設整流器１０からの直流電流を印加する。ただし、予備開閉部７３は、導線１２０と導線１２４とを介して、切替側第１接続部３５と既設側第２接続部３３とに電気的に接続されていてもよい。
【００３９】
光源部８１は、本実施形態においてはＬＥＤである。光源部８１は、導線１２２と導線１２４との間に設けられている。すなわち、光源部８１は、既設側第１接続部３１と切替側第２接続部３７とに電気的に接続されている。光源部８１は、予備開閉部７３の接点が閉じられて導線１２２に既設整流器１０からの直流電流が印加されることにより、点灯する。なお、光源部８１は、導線１２２及び導線１２４を介して、既設側第２接続部３３と切替側第１接続部３５とに電気的に接続されていてもよい。
【００４０】
自己保持回路部９１は、導線１２８と導線１２４との間に設けられている。自己保持回路部９１は、予備開閉部７３の接点が閉じられて導線１２８に既設整流器１０からの直流電流を印加することにより、直流電流が印加される。自己保持回路部９１は、直流電流が印可されることにより作動して電磁気力を発生させ、導線１１６の開閉部８３の接点及び導線１２６の開閉部８５の接点を閉じる。導線１１６は、導線１１０に並列に接続されており、正電圧導線１０６及び導線１１２に接続されている。導線１１６は、開閉部８３の接点が閉じられることにより、切替整流器２１からの直流電流を、導線１１２を介してロック解除部６１に印加する。導線１２６は、導線１２０に並列に接続されており、負電圧導線１０８と導線１２２及び導線１２８とに接続されている。導線１２６は、開閉部８５の接点が閉じられることにより、切替整流器２１からの直流電流を、導線１２２を介して光源部８１に印加する。
【００４１】
自己保持回路部９１は、開閉部８５の接点を閉じることにより、導線１２２及び導線１２８に既設整流器１０からの直流電流を印加する。自己保持回路部９１は、作動により開閉部８５の接点を閉じた後に予備開閉部７３の接点が開かれても、開閉部８５が閉じられているため直流電流が印加され続ける。従って、自己保持回路部９１は、導線１２２に直流電流を印加し続ける自己保持回路となっている。同様に、自己保持回路部９１は、作動により開閉部８３の接点を閉じた後にロック解除開閉部７１の接点が開かれても、開閉部８３の接点を閉じ続ける。従って、自己保持回路部９１は、導線１１２に直流電流を印加し続ける自己保持回路となっている。なお、自己保持回路部９１は、導線１２８及び導線１２４を介して、既設側第２接続部３３と切替側第１接続部３５とに電気的に接続されていてもよい。
【００４２】
第１電圧測定部９３は、第１開閉部４１よりも既設側第１接続部３１側で正電圧導線１０５に一方が接続され、第２開閉部４３よりも既設側第２接続部３３側で負電圧導線１０７に他方が接続されている。第１電圧測定部９３は、電圧計である。第１電圧測定部９３は、電源９７から直流電流を印加されることにより、第１開閉部４１及び第２開閉部４３よりも既設側第１接続部３１及び既設側第２接続部３３側における、正電圧導線１０５及び負電圧導線１０７間の電圧差を測定する。
【００４３】
第２電圧測定部９５は、第１開閉部４１よりも切替側第１接続部３５側で正電圧導線１０５に一方が接続され、第２開閉部４３よりも切替側第２接続部３７側で負電圧導線１０７に他方が接続されている。第２電圧測定部９５は、電圧計である。第２電圧測定部９５は、電源９７から直流電流を印加されることにより、第１開閉部４１及び第２開閉部４３よりも切替側第１接続部３５及び切替側第２接続部３７側における、正電圧導線１０５及び負電圧導線１０７間の電圧差を測定する。
【００４４】
以上説明した整流器接続装置３０は、既設整流器１０と直流回路１との接続を、切替整流器２１と直流回路１との接続に切り替える際において、既設整流器１０と切替整流器２１とが異相で接続されることを抑制する。以下、既設整流器１０と直流回路１との接続を、切替整流器２１と直流回路１との接続に切り替える方法について説明する。図３は、既設整流器と直流回路との接続を、切替整流器と直流回路との接続に切り替える工程を示すフローチャートである。
【００４５】
図３に示すように、最初に、作業者は、整流器接続装置３０を、既設整流器１０及び切替整流器２１に接続する（ステップＳ１０）。詳しくは、作業者は、既設整流器１０の既設第１端子１２に接続された予備回路１８の正電圧導線１０３と、整流器接続装置３０の既設側第１接続部３１とを接続する。これにより、整流器接続装置３０の正電圧導線１０５と、既設整流器１０の既設第１端子１２とが接続される。また、作業者は、既設整流器１０の既設第２端子１３と接続された予備回路１８の負電圧導線１０４と、整流器接続装置３０の既設側第２接続部３３とを接続する。これにより、整流器接続装置３０の負電圧導線１０７と、既設整流器１０の既設第２端子１３とが接続される。この接続により、整流器接続装置３０は、直流回路１にも接続され、さらに機器４とも接続される。また、作業者は、切替整流器２１の切替第１端子２２と、整流器接続装置３０の切替側第１接続部３５とを接続する。これにより、整流器接続装置３０の正電圧導線１０６と、切替整流器２１の切替第１端子２２とが接続される。また、作業者は、切替整流器２１の切替第２端子２３と、整流器接続装置３０の切替側第２接続部３７とを接続する。これにより、整流器接続装置３０の負電圧導線１０８と、切替整流器２１の切替第２端子２３とが接続される。
【００４６】
整流器接続装置３０を既設整流器１０及び切替整流器２１に接続した後、作業者は、ロック解除導通スイッチ部７２を押すことにより、ロック解除開閉部７１及び予備開閉部７３の接点を閉じる（ステップＳ１２）。ロック解除開閉部７１の接点を閉じることにより、ロック解除部６１が、切替側第１接続部３５と既設側第２接続部３３とに電気的に接続される。また、予備開閉部７３の接点を閉じることにより、導線１２０と導線１２４とが、切替側第２接続部３７と既設側第１接続部３１とに電気的に接続される。
【００４７】
ロック解除開閉部７１及び予備開閉部７３の接点を閉じると、整流器接続装置３０は、既設整流器１０と切替整流器２１とが同相で接続されている場合（ステップＳ１４；Ｙｅｓ）に、ロック解除部６１がロック部５１の固定を解除し（ステップＳ１６）、光源部８１が点灯し（ステップＳ１８）、自己保持回路部９１が作動する（ステップＳ２０）。既設整流器１０と切替整流器２１とが同相で接続されているとは、既設整流器１０と切替整流器２１とが、電圧が同相の端子同士で接続されていることをいう。すなわち、既設整流器１０と切替整流器２１とが同相で接続されているとは、既設整流器１０の既設第１端子１２（正電圧の端子）と切替整流器２１の切替第１端子２２（正電圧の端子）とが、整流器接続装置３０を介して電気的に接続されており、既設整流器１０の既設第２端子１３（負電圧の端子）と切替整流器２１の切替第２端子２３（負電圧の端子）とが、整流器接続装置３０を介して電気的に接続されていることをいう。従って、本実施形態では、既設第１端子１２に接続された予備回路１８の正電圧導線１０３が既設側第１接続部３１に接続され、かつ、切替第１端子２２が切替側第１接続部３５に接続され、かつ、既設第２端子１３に接続された予備回路１８の負電圧導線１０４が既設側第１接続部３３に接続され、かつ、切替第２端子２３が切替側第２接続部３７に接続されている場合に、既設整流器１０と切替整流器２１とが同相で接続されているということができる。
【００４８】
既設整流器１０と切替整流器２１とが同相で接続されている場合、整流器接続装置３０の導線１１０は、切替第１端子２２（正電圧の端子）と既設第２端子１３（負電圧の端子）との異相の端子に接続されるため、直流電流が流れる。その結果、ロック解除部６１にも直流電流が流れ、ステップＳ１６において直流電流によって電磁力を発生させ、ロック部５１の固定を解除する。また、既設整流器１０と切替整流器２１とが同相で接続されている場合、整流器接続装置３０の導線１２２は、既設第１端子１２（正電圧の端子）と切替第２端子２３（負電圧の端子）との異相の端子に接続されるため、直流電流が流れる。その結果、光源部８１にも直流電流が流れ、ステップＳ１８において光源部８１が点灯する。また、既設整流器１０と切替整流器２１とが同相で接続されている場合、整流器接続装置３０の導線１２８は、既設第１端子１２（正電圧の端子）と切替第２端子２３（負電圧の端子）との異相の端子に接続されるため、直流電流が流れる。その結果、自己保持回路部９１にも直流電流が流れ、ステップＳ２０において自己保持回路部９１が作動する。なお、ステップＳ１６、ステップＳ１８及びステップＳ２０は、既設整流器１０と切替整流器２１とが同相で接続されている場合に発生する事象であるため、これらのステップは、ほぼ同時に行われる。
【００４９】
既設整流器１０と切替整流器２１とが同相で接続されていない場合（ステップＳ１４；Ｎｏ）、ステップＳ１６、Ｓ１８、Ｓ２０は発生しない。この場合、作業者は、ステップＳ１０に戻り、既設整流器１０と切替整流器２１とを同相で接続し直す。既設整流器１０と切替整流器２１とが同相で接続されていない場合、ロック解除部６１は同相の端子同士に接続されることになるため、直流電流が流れず、ステップＳ１６は発生しない。同様に、既設整流器１０と切替整流器２１とが同相で接続されていない場合、光源部８１及び自己保持回路部９１は同相の端子同士に接続されることになるため、直流電流が流れず、ステップＳ１８、Ｓ２０は発生しない。
【００５０】
ステップＳ１６、Ｓ１８、Ｓ２０が発生した後、作業者は、スイッチ部４４を操作して、第１開閉部４１及び第２開閉部４３を閉じる（ステップＳ２２）。例えば、作業者は、光源部８１が点灯していると、既設整流器１０と切替整流器２１とが同相で接続されていると判断して、スイッチ部４４を操作して第１開閉部４１及び第２開閉部４３を閉じて、切替整流器２１を、予備回路５、直流回路１及び既設整流器１０に接続する。既設整流器１０と切替整流器２１とが同相で接続されていない場合、ステップＳ１６が発生していないので、スイッチ部４４は、ロック部５１によって固定されたままである。そのため、作業者が誤認により第１開閉部４１及び第２開閉部４３を閉じようとしても、スイッチ部４４を操作して第１開閉部４１及び第２開閉部４３を閉じることができず、誤接続（異相での接続）が抑制される。
【００５１】
第１開閉部４１及び第２開閉部４３を閉じて切替整流器２１を直流回路１に接続した後、作業者は、既設整流器１０を直流回路１から取り外す（ステップＳ２４）。この場合、切替整流器２１が直流回路１に接続されているため、既設整流器１０を直流回路１から取り外しても、切替整流器２１からの直流電流により、機器４は動作を続けることができる。ステップＳ２４により、接続の切替処理は終了する。
【００５２】
なお、作業者は、ステップＳ１２の前に、第１電圧測定部９３及び第２電圧測定部９５により、既設整流器１０と切替整流器２１とが同相で接続されているかを確認してもよい。ここで、既設第１端子１２と既設側第１接続部３１とが接続されており、既設第２端子１３と既設側第２接続部３３とが接続されていれば、第１電圧測定部９３は、正電圧導線１０５及び負電圧導線１０７間の電圧差を正の値として表示する。また、切替第１端子２２と切替側第１接続部３５とが接続されており、切替第２端子２３と切替側第２接続部３７とが接続されていれば、第２電圧測定部９５は、正電圧導線１０６及び負電圧導線１０８間の電圧差を正の値として表示する。そして、作業者は、正電圧導線１０５及び負電圧導線１０７間の電圧差と、正電圧導線１０６及び負電圧導線１０８間の電圧差とが、双方とも正の値であれば、既設整流器１０と切替整流器２１とが、整流器接続装置３０を介して同相で接続されていると判断する。なお、作業者は、第１電圧測定部９３及び第２電圧測定部９５の電圧測定結果が双方とも負の値であっても、同相で接続されていると判断してもよい。
【００５３】
以上説明したように、本実施形態に係る整流器接続装置３０は、既設側第１接続部３１と、既設側第２接続部３３と、切替側第１接続部３５と、切替側第２接続部３７と、第１開閉部４１と、第２開閉部４３と、スイッチ部４４と、ロック部５１と、ロック解除部６１とを有する。既設側第１接続部３１は、既設整流器１０の直流電流側の一方の端子である既設第１端子１２に接続される。既設側第２接続部３３は、既設整流器１０の直流電流側の他方の端子である既設第２端子１３に接続される。切替側第１接続部３５は、切替整流器２１の直流電流側の一方の端子である切替第１端子２２に接続される。切替側第２接続部３７は、切替整流器２１の直流電流側の他方の端子である切替第２端子２３に接続される。第１開閉部４１は、既設側第１接続部３１と切替側第１接続部３５とを電気的に接続状態にすることが可能となっている。第２開閉部４３は、既設側第２接続部３３と切替側第２接続部３７とを電気的に接続状態にすることが可能となっている。スイッチ部４４は、第１開閉部４１及び第２開閉部４３を接続状態にすることが可能となっている。ロック部５１は、スイッチ部４４を固定することにより、スイッチ部４４が第１開閉部４１及び第２開閉部４３を接続状態にすることを抑制する。ロック解除部６１は、既設側第２接続部３３と切替側第１接続部３５とに電気的に接続される。ロック解除部６１は、既設側第２接続部３３と切替側第１接続部３５とに互いに異相の直流電流が流れる場合に自身に直流電流が流れることにより、ロック部５１によるスイッチ部４４の固定を解除して、スイッチ部４４によって第１開閉部４１及び第２開閉部４３を接続状態にすることを可能とする。
【００５４】
既設整流器１０と切替整流器２１とが異相で接続された場合、既設整流器１０と切替整流器２１とが短絡し、機器４の故障等が発生するおそれがある。そのため、既設整流器１０と直流回路１との接続を切替整流器２１と直流回路１との接続に切り替える際において、既設整流器１０と切替整流器２１とを異相で接続することを抑制する必要がある。本実施形態に係る整流器接続装置３０は、既設整流器１０と切替整流器２１とが整流器接続装置３０を介して同相で接続されていれば、すなわち、既設側第１接続部３１と切替側第１接続部３５が同相の電圧下にあり、既設側第２接続部３３と切替側第２接続部３７とが同相の電圧下にあれば、ロック解除部６１が動作し、スイッチ部４４の固定を解除する。言い換えれば、既設整流器１０と切替整流器２１とが整流器接続装置３０を介して異相で接続されていれば、ロック解除部６１が動作せず、スイッチ部４４の固定を解除されない。従って、作業者は、既設整流器１０と切替整流器２１とが整流器接続装置３０を介して同相で接続されている場合にのみ、スイッチ部４４を切り替えて、切替整流器２１を既設整流器１０（及び直流回路１）に接続することができる。従って、整流器接続装置３０は、例えば第１電圧測定部９３及び第２電圧測定部９５の電圧測定に不備があった場合や、その電圧測定結果を誤認した場合などでも、既設整流器１０と切替整流器２１とを異相で接続することを抑制して、短絡することを抑制する。また、整流器接続装置３０は、各整流器からの直流電流によって動作するため、例えばコンピュータによるソフトウェアを用いた制御が不要となり、シンプルな構成とすることができる。
【００５５】
また、本実施形態に係るロック解除部６１は、コイルであり、自身に直流電流が流れることにより、常磁性部材であるロック部５１を動かして、ロック部５１によるスイッチ部４４の固定を解除する。ロック解除部６１は、コイルであるため、直流電流が流れることで電磁力を発生させ、確実にロック部５１を動かしてロックを解除することができる。
【００５６】
また、ロック解除部６１は、ロック解除導通スイッチ部７２が操作されることより、既設側第２接続部３３と切替側第１接続部３５とに電気的に接続される。ロック解除部６１は、ロック解除導通スイッチ部７２が操作されることで初めて接続状態となるため、ロック解除部６１の誤作動を抑制することができる。
【００５７】
また、整流器接続装置３０は、自己保持回路部９１を有する。自己保持回路部９１は、既設側第２接続部３３と切替側第１接続部３５とに、又は、既設側第１接続部３１と切替側第２接続部３７とに電気的に接続される。自己保持回路部９１は、既設側第２接続部３３と切替側第１接続部３５とに互いに異相の直流電流が流れる場合、又は、既設側第１接続部３１と切替側第２接続部３７とに互いに異相の直流電流が流れる場合に、ロック解除部６１と既設側第２接続部３３と切替側第１接続部３５との電気的な接続を維持する。この自己保持回路部９１は、ロック解除部６１への直流電流の印加を維持するため、ロック解除部６１によるロックの解除を維持することが可能となる。
【００５８】
また、整流器接続装置３０は、光源部８１を有する。光源部８１は、既設側第２接続部３３と切替側第１接続部３５とに、又は、既設側第１接続部３１と切替側第２接続部３７とに電気的に接続される。光源部８１は、既設側第２接続部３３と切替側第１接続部３５とに互いに異相の直流電流が流れる場合、又は、既設側第１接続部３１と切替側第２接続部３７とに互いに異相の直流電流が流れる場合に、点灯する。この光源部８１は、既設整流器１０と切替整流器２１とが同相で接続された場合に点灯するので、既設整流器１０と切替整流器２１とが同相で接続されたことを作業者が容易に認識することができる。
【００５９】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００６０】
１  直流回路
２  交流回路
４  機器
１０  既設整流器
１２  既設第１端子
１３  既設第２端子
２０  切替整流器ユニット
２１  切替整流器
２２  切替第１端子
２３  切替第２端子
３０  整流器接続装置
３１  既設側第１接続部
３３  既設側第２接続部
３５  切替側第１接続部
３７  切替側第２接続部
４１  第１開閉部
４３  第２開閉部
４４  スイッチ部
５１  ロック部
６１  ロック解除部
７１  ロック解除開閉部
１０１、１０３、１０５、１０６  正電圧導線
１０２、１０４、１０７、１０８  負電圧導線
【図１】
2017135851.tif 000003
【図２】
2017135851.tif 000004
【図３】
2017135851.tif 000005